(57)【要約】【課題】容易かつ安全に整備を行うことができる永久磁石式磁選機を得る。【解決手段】永久磁石式磁選機１を、ベルト面１１ａが選別対象Ｗと隙間を空けて対面するように設置されたベルトコンベア装置１０と、このベルトコンベア装置１０の内部空間に設置された、選別対象Ｗから磁性物Ｆｅをベルト１１越しに吸着する永久磁石とを備え、永久磁石は、Ｎ極をベルト面１１ａに向けた第１永久磁石２０ＮとＳ極をベルト面１１ａに向けた第２永久磁石２０Ｓとから構成され、第１永久磁石のＮ極端面２０ａと第２永久磁石のＳ極端面２０ｂとがベルト面１１ａと対面する磁選位置と、ベルト面１１ａよりも上方で第１永久磁石２０ＮのＮ極端面２０ａと第２永久磁石２０ＳのＳ極端面２０ｂとが対面する非磁選位置とに切換えでき、吸着された磁性物Ｆｅが、ベルトコンベア装置１０によって定位置まで移送された後、永久磁石の吸着から解放される構成とした。【選択図】図１
2005058895.tif 000002
【特許請求の範囲】
【請求項１】
ベルト面が選別対象と隙間を空けて対面するように設置されたベルトコンベア装置と、このベルトコンベア装置の内部空間に設置された、上記選別対象から磁性物をベルト越しに吸着する永久磁石とを備え、吸着された上記磁性物が、上記ベルトコンベア装置によって定位置まで移送された後、上記永久磁石の吸着から解放される永久磁石式磁選機において、上記永久磁石は、Ｎ極を上記ベルト面に向けた第１永久磁石とＳ極を上記ベルト面に向けた第２永久磁石とから構成され、上記第１永久磁石のＮ極端面と上記第２永久磁石のＳ極端面とが上記ベルト面と対面する磁選位置と、上記ベルト面よりも上方で上記第１永久磁石のＮ極端面と上記第２永久磁石のＳ極端面とが対面する非磁選位置とに切換えできることを特徴とする永久磁石式磁選機。
【発明の詳細な説明】
【技術分野】
【０００１】
この発明は、永久磁石を利用して産業廃棄物などに混在した磁性物を選択的に取り出す永久磁石式磁選機に関する。
【背景技術】
【０００２】
資源リサイクルの一環として、産業廃棄物などに混在した鉄などを回収することが広く行われている。この際、処理場では、鉄などを効率よく回収するため、磁力を利用した磁選機が利用されている。このような磁選機の一つに、例えば、特許文献１のようなものがある。
【特許文献１】特開平１１−１０４５１３号公報
【０００３】
この磁選機は、駆動ローラと従動ローラとに両ローラ間を循環するベルトが張り渡されたベルトコンベア装置と、このベルトコンベア装置のベルトで囲まれた内部空間にベルトの進行方向と直交する方向に離隔して配置された、ベルト面にＮ極を向けた第１の永久磁石およびＳ極を向けた第２の永久磁石とから構成され、搬送用コンベア装置によって運ばれてくる選別対象と隙間を有して対面するように吊上げられた構成を有する。
【０００４】
上記従来の永久磁石式吊上げ磁選機は、２個の永久磁石が互いに異なる磁極をベルト面に向けて離隔して配置されているので、選別対象付近の磁界は、ベルト面にほぼ平行に形成される。
【発明の開示】
【発明が解決しようとする課題】
【０００５】
ところが、選別対象を搬送する搬送用コンベア装置においても、異物が搬送用コンベア装置に挟まれたり、溜まることがある。このような場合、そのまま運転を続けると装置の故障に繋がるので、磁選機の運転を停止して挟まれた異物を除去し、整備する必要がある。
【０００６】
しかしながら、上記従来の永久磁石式吊上げ磁選機では、磁選機の運転を停止しても永久磁石の磁界は消滅しないから、挟まった異物が磁性物である場合、搬送用コンベア装置から除去した瞬間に永久磁石に勢い良く吸着され、除去した異物が作業員に当るおそれがある。このため、作業員は、危険を回避しながら慎重に除去作業を進める必要があり、整備に手間取るという問題があった。また、除去作業等の整備は、作業員が磁選機の下に潜り込んで行われる場合もあるが、永久磁石の磁界は形成されたままなので、作業員は１０００Ｇ以上の強力な磁界の中に長時間留まることになり、健康上好ましくないという問題もあった。
【０００７】
そこで、この発明の課題は、容易かつ安全に整備を行うことができる永久磁石式磁選機を得ることにある。
【課題を解決するための手段】
【０００８】
上記の課題を解決するため、この発明は、ベルト面が選別対象と隙間を空けて対面するように設置されたベルトコンベア装置と、このベルトコンベア装置の内部空間に設置された、上記選別対象から磁性物をベルト越しに吸着する永久磁石とを備え、吸着された上記磁性物が、上記ベルトコンベア装置によって定位置まで移送された後、上記永久磁石の吸着から解放される永久磁石式磁選機において、上記永久磁石は、Ｎ極を上記ベルト面に向けた第１永久磁石とＳ極を上記ベルト面に向けた第２永久磁石とから構成され、上記第１永久磁石のＮ極端面と上記第２永久磁石のＳ極端面とが上記ベルト面と対面する磁選位置と、上記ベルト面よりも上方で上記第１永久磁石のＮ極端面と上記第２永久磁石のＳ極端面とが対面する非磁選位置とに切換えできることを特徴とする永久磁石式磁選機としたのである。
【０００９】
上記第１永久磁石のＮ極端面と上記第２永久磁石のＳ極端面が上記ベルト面と対面する磁選位置においては、２つの永久磁石によって形成される磁界は、第１永久磁石のＮ極から選別対象を透過し、第２永久磁石のＳ極へ向かう磁束分布を有する。一方、上記ベルト面よりも上方で上記第１永久磁石のＮ極端面と上記第２永久磁石のＳ極端面とが対面する非磁選位置においては、２つの永久磁石によって形成される磁界は、その大部分が第１永久磁石のＮ極端面から第２永久磁石のＳ極端面へ直線的に向かう磁束分布を有する。
【００１０】
上記の構成によれば、上記第１永久磁石のＮ極端面と上記第２永久磁石のＳ極端面が上記ベルト面と対面する磁選位置と、上記ベルト面よりも上方で上記第１永久磁石のＮ極端面と上記第２永久磁石のＳ極端面とが対面する非磁選位置とに切換えできるので、整備を行う際、永久磁石を非磁選位置に切換えると、磁選機の下方を磁界が殆んど存在しない状態にすることができる。このため、異物が永久磁石に勢い良く吸着されることがなくなり、また、磁選機の下にいる作業員が強力な磁界に曝されることもなくなる。
【発明の効果】
【００１１】
以上に述べたように、この発明の永久磁石式磁選機は、永久磁石を非磁選位置に切換えることにより、磁選機の下方を磁界が殆んど存在しない状態にすることができるので、容易かつ安全に整備を行うことができるものである。
【発明を実施するための最良の形態】
【００１２】
この発明の最良の実施形態を図面に基づき説明する。図１は、この発明を実施するための最良の形態の永久磁石式磁選機を部分断面表示した側面図である。図中において、１は、ベルトコンベア装置１０と、その内部空間に設置された永久磁石ユニット２０とを備える永久磁石式磁選機である。２は、選別対象を運ぶ搬送用コンベアであり、永久磁石式磁選機１と直交するように設置されている。永久磁石式磁選機１は、ベルトコンベア装置１０のベルト面１１ａが搬送用コンベア装置２によって運ばれてくる選別対象Ｗと隙間を空けて対面するように支柱３に設置されており、選別対象Ｗから磁性体Ｆｅを吸着し、収容口４に落下させることにより、選別対象Ｗに混在した磁性体Ｆｅを選別するものである。上記隙間は、選別対象Ｗが磁選機の下方を通過でき、かつ吸着された磁性体がベルトコンベア装置１０によって移送できるように設定されている。もちろん、この永久磁石式磁選機１は、吊上げ式にすることもできる。
【００１３】
図１〜３に示すように、ベルトコンベア装置１０は、機枠１２の軸受部１２ａに軸支された駆動ローラ１３および従動ローラ１４と、機枠１２の緊張軸受部１２ｂに軸支されたテンションローラ１５と、機枠１２に固定された駆動モータ１６と、駆動ローラ１３、従動ローラ１４、テンションローラ１５に架けられたベルト１１とから構成されている。
【００１４】
駆動ローラ１３と従動ローラ１４の間隔は、搬送用コンベア装置２の全幅よりも長く設定されている。ベルト１１はスクレパー１１ｂを有する。
【００１５】
駆動モータ１６を作動させると、その出力軸に固定されたスプロケット１６ａが回転し、伝達ベルト１６ｂを介して伝わる駆動モータ１６の動力により、駆動ローラ軸１３ａに固定されたスプロケット１６ｃが回転する。これに伴い駆動ローラ１３が回転すると、ベルト１１が駆動ローラ１３と従動ローラ１４との間を循環し始め、これに合わせて従動ローラ１４とテンションローラ１５が回転し、ベルトコンベア装置１０が稼動する。
【００１６】
上記ベルトコンベア装置１０の内部空間には、永久磁石ユニット２０が設置されている。この永久磁石ユニット２０は、Ｎ極をベルト面１１ａに向けた第１永久磁石２０Ｎと、Ｓ極をベルト面１１ａに向けた第２永久磁石２０Ｓと、各永久磁石が固定されたヨーク２１Ｎ，２１Ｓと、ヨーク２１Ｎ，２１Ｓが回動自在に取付けられた支持軸２２Ｎ，２２Ｓと、これら各部材を収容するマグネットケース２３とから構成されている。支持軸２２Ｎ，２２Ｓは、ベルト循環方向に平行一対でマグネットケース２３に取付けられており、マグネットケース２３は、機枠１２に固定されている。
【００１７】
第１永久磁石２０Ｎと第２永久磁石２０Ｓを、図２に示すように、支持軸２２Ｎ，２２Ｓ回りに回動することにより、第１永久磁石２０ＮのＮ極端面２０ａと第２永久磁石２０ＳのＳ極端面２０ｂとがベルト面１１ａと対面する磁選位置と、ベルト面１１ａよりも上方で第１永久磁石２０ＮのＮ極端面２０ａと第２永久磁石２０ＳのＳ極端面２０ｂとが対面する非磁選位置とに切換えできる。
【００１８】
ヨーク２１Ｎ，２１Ｓをそれぞれ水平にすると磁選位置となり、ヨーク２１Ｎ，２１Ｓをそれぞれ垂直になるまで上方へ回動すると非磁選位置になる。この非磁選位置においては、第１永久磁石２０Ｎと第２永久磁石２０Ｓは引き合うことになるから、磁選位置に戻る方向に回転モーメントが生じるので、これを防ぐため、永久磁石ユニット２０に位置決め手段を設けるとよい。
【００１９】
この第１永久磁石２０Ｎと第２永久磁石２０Ｓの回動は、例えば、支持軸２２Ｎ，２２Ｓをウォームモータ駆動することにより行うことができる。
【００２０】
第１永久磁石２０Ｎと第２永久磁石２０Ｓには、例えば、ネオジウム系磁石を用いることができる。また、永久磁石ユニット２０が形成する磁界を、マグネットケース２３の表面より１００ｍｍの位置において、０．１Ｔ以上とし、第１永久磁石２０Ｎと第２永久磁石２０Ｓのベルト循環方向の長さを、搬送用コンベア装置２の全幅より長く設定するとよい。
【００２１】
上記構成の永久磁石式磁選機１を運転すると、搬送用コンベア装置２に運ばれて第１永久磁石２０Ｎと第２永久磁石２０Ｓによって形成される磁界内に入った選別対象Ｗ中に混在した磁性体Ｆｅは、ベルト１１越しに吸着される。吸着された磁性体Ｆｅは、ベルト１１のスクレパー１１ｂによってベルト１１の循環方向に移送され、定位置、すなわち上記磁界から外れる位置において、その吸着から解放されて収容口４に落下する。そして、搬送用コンベア装置２等に異物が挟まった場合には、第１永久磁石２０Ｎと第２永久磁石２０Ｓとを上記非磁選位置に切換えると、磁選機の下方は磁界が殆んど存在しない状態になり、作業員が容易かつ安全に整備作業を行うことができる。
【図面の簡単な説明】
【００２２】
【図１】この発明を実施するための最良の形態の永久磁石式磁選機を部分断面表示した側面図である。
【図２】図１の永久磁石式磁選機の永久磁石ユニットの破断表示図である。
【図３】図１の平面図である。
【符号の説明】
【００２３】
１  永久磁石式磁選機
１０  ベルトコンベア装置
１１  ベルト
２０  永久磁石ユニット
２０Ｎ  第１永久磁石
２０Ｓ  第２永久磁石
２０ａ  第１永久磁石のＮ極端面
２０ｂ  第２永久磁石のＳ極端面
２１Ｎ，２１Ｓ  ヨーク
２２Ｎ，２２Ｓ  支持軸
２３  マグネットケース
Ｗ  選別対象
Ｆｅ  磁性体
【図１】
2005058895.tif 000003
【図２】
2005058895.tif 000004
【図３】
2005058895.tif 000005